(57)【要約】      （修正有）【課題】運搬、保管、陳列の際に特別なスペースを要せず、商品本体や商品パッケージ等の展示物に容易に装着でき、商品情報表示を低コストで行い得る、表示効果に優れた表示札を提供する。【解決手段】  展示物１に巻き付けて表示を行なう表示札であって、帯状部材４を含んでなり、帯状部材４が、帯状部材４の面内の定められた領域７に表示部８を有し、帯状部材４に、領域７（表示部８）の輪郭６の一部５を切り残して、輪郭６に沿って切り目１０が形成されている。【選択図】  図１（ａ）
2006047522.tif 000002
【特許請求の範囲】
【請求項１】
展示物に巻き付けて表示を行なう表示札であって、
帯状部材を含んでなり、
該帯状部材が、該帯状部材の面内の定められた領域に表示部を有し、
前記帯状部材に、前記領域の輪郭の一部を切り残して、該輪郭に沿って切り目が形成された表示札。
【請求項２】
前記帯状部材の両端部に、前記表示部を間にして貼着部を備えた請求項１に記載の表示札。
【請求項３】
前記輪郭の一部に沿って折り目誘発部が形成された請求項１又は請求項２に記載の表示札。
【発明の詳細な説明】
【技術分野】
【０００１】
本発明は、展示物に巻き付けられる商品情報表示用の表示札に関する。
【背景技術】
【０００２】
従来より、商品に簡単に取り付けできる商品情報表示用の表示札としては、図１０に示すような吊り下げ式の広告用札５０や、図１１に示すような垂れ下げ式の広告用札５２が使用されている（例えば、特許文献１及び特許文献２参照。）。しかし、これらの広告用札５０、５２は、何れも広告内容を記載した広告表示部５１が、商品５３、５４に沿って平面的になる傾向がある。
【０００３】
そこで本願発明者は、図１２に示すような、僅かな外力によって揺動し、表示効果に優れる貼着表示札５５を先に出願している（特許文献３参照。）。貼着表示札５５は、被貼着物５６に貼付して表示を行う表示札であって、被貼着物５６に貼着される貼着部５７と、貼着部５７から延出された支持腕部５８とを含み、支持腕部５８に表示部５９が設けられ、貼着部５７が貼着された状態で、支持腕部５８が自立的に保持される。表示部５９には商品に関する情報や、装飾効果のある模様等が印刷されており、表示部５９が揺動した時に人目を惹き付ける効果がある。
【０００４】
また、複数の商品を束ねて一体化する際には、帯状のフィルム、紙等を巻き付けて一体化することが一般に行われている。更に、商品名、原材料、品質等の商品情報を商品パッケージに表示する際にも、商品名等が印刷された帯状のフィルム等を、商品パッケージに貼着、或いは巻き付けて表示することが行われている。
【０００５】
【特許文献１】特開２００３−４３９１９号公報（図７）
【特許文献２】特開２００３−４３９１９号公報（図９）
【特許文献３】特願２００３−１８５１９７号（請求項１、図１）
【発明の開示】
【発明が解決しようとする課題】
【０００６】
しかし、従来の広告用札５０、５２は、上述の通り、商品５３、５４に沿って平面的となる傾向があり、人目を惹き付ける効果があまり期待できない。また、広告用札５０、５２を商品に取り付けた状態で運搬、保管、陳列等を行う際には余分にスペースを要すると共に、取り付けられた広告用札５０、５２が外れ易いため、商品の取り扱いにも注意を要する。
【０００７】
更に、広告用札５０、５２、及び貼着表示札５５は、何れも商品本体、商品パッケージ等の展示物とは別体に構成されており、展示物の一つ一つに広告用札５０等を後から別に取付、貼着しなければならず、作業効率の低下を招くと共に、コスト高ともなる。特に、帯状のフィルム、紙等を巻き付けて一体化された商品や、商品名等が印刷された帯状のフィルム等が取り付けられた商品においては、この帯状のフィルム等を巻き付けた後に、更に広告用札５０や貼着表示札５５が取り付けられるため、作業効率の低下、コスト高の傾向がより顕著となる。
【０００８】
そこで本発明は、上記の問題点に鑑み、運搬、保管、陳列の際に特別なスペースを要せず、商品本体や商品パッケージ等の展示物に容易に装着でき、商品情報表示を低コストで行い得る、表示効果に優れた表示札を提供することを目的とする。
【課題を解決するための手段】
【０００９】
即ち、本発明の要旨とするところは、展示物に巻き付けて表示を行なう表示札であって、
帯状部材を含んでなり、
該帯状部材が、該帯状部材の面内の定められた領域に表示部を有し、
前記帯状部材に、前記領域の輪郭の一部を切り残して、該輪郭に沿って切り目が形成された表示札である。
【００１０】
ここで「巻き付ける」とは、前記帯状部材が、少なくとも前記展示物の一の表面部と、該一の表面部と傾きの異なる他の表面部とにわたって装着されることを意味し、必ずしも帯状部材の両端部が、展示物に巻き付けられた状態で接合されていることを意味するものではない。なお、本願に係る特許請求の範囲及び明細書中において同様に解する。
【００１１】
かかる表示札において、前記帯状部材の両端部は、前記表示部を間にして貼着部を備え得る。
【００１２】
かかる表示札において、前記輪郭の一部に沿って折り目誘発部が形成され得る。
【発明の効果】
【００１３】
本発明の表示札は、運搬、保管、陳列の際に特別なスペースを要せず、商品本体や商品パッケージ等の展示物に容易に装着でき、商品情報表示を低コストで行い得る、表示効果に優れた表示札である。
【００１４】
特に、帯状部材を含んで成る本発明の表示札は、商品本体や商品パッケージ等に巻き付けることによって商品の包装機能を発揮すると共に、表示部が立設されることによって、人目を惹き付ける効果が発揮される。
【００１５】
更に、表示部を含む帯状部材の全面にわたって、商品情報や模様等を表示することによって、人目を惹き付ける効果、商品の装飾効果を更に向上することができる。
【発明を実施するための最良の形態】
【００１６】
以下、本発明の態様を図面に基づいて説明するが、本発明の態様は以下に示したものに限定されない。なお、本明細書において、各図にわたって記される同じ符号は、同一又は同様の部材やものを示す。
【００１７】
図１（ａ）乃至図１（ｃ）に示す本発明の表示札２は、商品本体や商品パッケージといった展示物１に巻き付けることにより、展示物１に関する表示を行うものであって、帯状部材４を含んで成る。帯状部材４は、帯状部材４の面内の定められた領域７に表示部８を有し、帯状部材４には、領域７の輪郭６の一部５を切り残して、輪郭６に沿って切り目１０が形成されている。表示部８には、商品名、原材料、品質、用途等の商品に関する情報や、装飾効果のある模様、広告用文字等（以下、単に「商品情報」という。）が、帯状部材４の裏面側から印刷されている。なお、図１（ｃ）における符号９が示す部分は、表示部８に相当する部分の裏面側から印刷された商品情報の印刷層である。但し、印刷層９が設けられる側は帯状部材４の裏面側に限定されず、帯状部材４が透明のフィルム材から成る場合には、帯状部材４の表面に印刷層９が設けられてもよい。
【００１８】
また、表示札２の態様では、帯状部材４の長手方向の両端部１２ａ、１２ｂに、表示部８を間にして、それぞれ貼着部１４を備えている。より具体的には、貼着部１４に相当する部分の裏面側に、粘着層１６が重畳されている。粘着層１６は、少なくとも１種の粘着剤から成るものであり、当業者に公知で、且つ非粘着性台紙を裏張りしたラベルに一般的に用いられる粘着層を形成し得る何れの粘着剤、或いはそれらの２以上の組み合わせでも用いられ得る。例えば、天然ゴム系粘着剤、合成ゴム系粘着剤、アクリル樹脂系粘着剤、ポリビニルエーテル樹脂系粘着剤、ウレタン樹脂系粘着剤、シリコン樹脂系粘着剤等が挙げられる。また、上記の粘着剤に更に必要に応じて、テルペン樹脂、スチレン樹脂等の粘着付与剤；シリカ、炭酸カルシウム等の充填剤；可塑剤等の軟化剤；アニリド等の酸化防止剤；架橋剤等を配合し得る。
【００１９】
なお、表示札２では、貼着部１４が帯状部材４の長手方向の両端部１２ａ、１２ｂにそれぞれ設けられているが、貼着部１４が設けられる位置は本態様に限定されず、帯状部材４に形成された表示部８を間にして貼着部１４を備えていればよい。例えば、帯状部材４の短手方向の両端部に、その長手方向に沿って貼着部１４が形成されてもよい。また、貼着部１４は帯状部材４における両端部１２ａ、１２ｂのみならず、展示物１の形状に応じて、任意の場所に他の貼着部（不図示）が更に設けられてもよい。
【００２０】
以上の構成から成る表示札２は、図１（ａ）に示すように、展示物１を上方から覆うようにして、一の表面部１７ａと他の表面部１７ｂとにわたって帯状部材４が巻き付けられ、帯状部材４の両端部１２ａ、１２ｂに設けられた貼着部１４を展示物１の下面に貼着することによって、展示物１に装着される。この時、表示部８の輪郭６のうち、切り目１０が形成されていない輪郭６の一部５を、展示物１の角部１８に合わせて帯状部材４を装着すると、帯状部材４の面上から表示部８が起き上がって自立的に保持され、表示部８に印刷された印刷層９が展示物１の手前方向から視認可能となる。つまり、表示部８が展示物１から立設された状態となり、表示部８が人目を惹き付ける効果を発揮する。
【００２１】
なお、表示札２に係る帯状部材４は、その長手方向にくびれ２０が形成されているが、帯状部材４の形状は特に限定されず、展示物１の形状に合わせて、或いは装飾効果を発揮するためのデザイン性を考慮して任意に設定することができる。また、表示札２は、展示物１を包装する機能をも兼ね備えており、展示物１に係る商品情報が、帯状部材４における表示部８のみならず、表示部８以外の部分にも表示されてよい。
【００２２】
更に、表示部８の形状も特に限定されず、図２に示すように、支持腕部２２を含んで成る表示部８ａのような態様であってもよい。図２に示した表示札２ａに係る帯状部材４ａには、その面内の定められた領域７ａに表示部８ａを有し、表示部８ａは支持腕部２２を備えている。更に帯状部材４ａには、領域７ａ（表示部８ａ）の輪郭６ａの一部５ａを切り残して、輪郭６ａに沿って切り目１０ａが形成されている。表示札２ａを展示物１ａに装着する際、表示部８ａの輪郭６ａの一部５ａを展示物１ａの角部１８に合わせて装着すると、帯状部材４ａの面上から支持腕部２２を含む表示部８ａが起き上がって自立的に保持される。従って、表示部８ａが展示物１ａの手前方向から視認可能となり、展示物１ａから立設された表示部８ａが人目を惹き付ける効果を発揮する。
【００２３】
また、例えば帯状部材４ａがフィルム材から成り、支持腕部２２を含む表示部８ａが自立可能な剛性と、曲げに対して回復可能な弾性を有する場合には、表示部８ａが僅かな外力で揺動することとなる。従って、表示部８ａの揺動により、表示部８ａの人目を惹き付ける効果は更に向上する。表示部８ａの揺動周期は、支持腕部２２の長さ、幅、及び形状、帯状部材４ａに係る素材の弾性率等によって変化させることが可能であり、表示部８ａの自立性を損なわない範囲で、支持腕部２２を含む表示部８ａの形状を任意に設定することができる。
【００２４】
本発明の表示札２、２ａに係る表示部８、８ａは、それぞれ帯状部材４、４ａの面上から起き上がって自立的に保持されるが、表示札２、２ａが装着された展示物１、１ａを運搬、保管、陳列等する際は、表示部８、８ａが邪魔とならず、特別なスペースを要しない。例えば、図３に示すように、展示物１に表示札２を装着した状態で縦積みする場合、下側の展示物１に装着された表示札２の表示部８と、上側に積まれた展示物１とが緩衝することがないため、表示部８を立設させたままの状態で縦積みすることができる。従って、一番上の展示物１が無くなっても、その下側の展示物１に装着された表示札２が備える表示札８が商品情報の表示機能を果たすため、展示物１自体が無くなるまでは人目を惹き付ける効果を損なうことがない。
【００２５】
なお、図３では表示部８が全て起き上がった状態で縦積みされているが、一番上の展示物１に装着された表示札２以外の表示札２に係る表示部８は、帯状部材４の面内に収納された状態であってもよい。この場合には、一番上の展示物１を取り除いた際に、その下側の展示物１に装着された表示札２に係る表示部８が、帯状部材４の面上から自立的に起き上がって、商品情報の表示機能、人目を惹き付ける機能を果たすこととなる。
【００２６】
以上、本発明の表示札２、２ａの態様について詳述したが、本発明の態様は上述のものに限定されず、例えば、図４（ａ）乃至図４（ｃ）に示す表示札２ｂのような態様であってもよい。表示札２ｂに係る表示部８ｂは、展示物１ｂの上面の略中心付近に立設されるように、帯状部材４ｂに形成されている。表示札２ｂの態様では、表示部８ｂの輪郭６ｂのうち、切り目１０ｂが形成されていない輪郭６ｂの一部５ｂを折り目にして上方へ折り曲げることによって、帯状部材４ｂの面上から表示部８ｂを起き上がらせて、表示部８ｂを展示物１ｂの上面に立設することができる。
【００２７】
また、本態様では、図４（ｂ）及び（ｃ）に示すように、表示部８ｂの輪郭６ｂの一部５ｂに、折り目誘発部２４を形成しておくことが好ましい。折り目誘発部２４を形成しておくことによって、表示部８ｂの立設作業が容易となる。なお、同図における折り目誘発部２４は、帯状部材４ｂの表面に溝２６を形成して折り目誘発部２４としているが、その他、ミシン目状の孔や、切り目１０ｂの両端部から形成される切り込み等によって折り目誘発部２４が構成されてもよい。
【００２８】
更に、図４（ａ）に示す表示札２ｂの他態様として、図４（ｄ）に示すような表示札２ｂ’のような態様であってもよい。表示札２ｂ’では、表示部８ｂを後方から支持するための支持腕部２２ａが、帯状部材４ｂに表示部８ｂとは別に予め形成されている。本態様では、表示部８ｂを帯状部材４ｂから起き上がらせると共に、支持腕部２２ａも同時に起き上がらせて、支持腕部２２ａの先端部に設けられた貼着部１５を表示部８ｂの裏側に貼着することによって、表示部８ｂが展示物１ｂから立設されている。なお、貼着部１５は必ずしも設けられる必要はなく、単に表示部８ｂと支持腕部２２ａとを付き合わせるように立設されてもよい。
【００２９】
以上、本発明の表示札の種々の態様について説明したが、本発明はその趣旨を逸脱しない範囲で、当業者の知識に基づき種々の改良、修正、変形を加えた態様で実施し得るものである。例えば、本発明の表示札に係る帯状部材の材質は特に限定されず、樹脂フィルム、紙、不織布、金属シート等を適用し得るが、中でも樹脂フィルムが、自立性のための適度な剛性と、僅かな外力でも揺動可能な適度な弾性とを備えている点、透明な帯状部材が得られる点でより好ましい。なお、樹脂フィルムの素材としては、ポリエステル系樹脂、ポリ塩化ビニル系樹脂、ポリオレフィン系樹脂、ポリウレタン系樹脂、ポリアミド系樹脂等が挙げられるが、フィルム形成能を有する樹脂であればこれらに限定されない。
【００３０】
また、展示物への表示札の装着方法も特に限定されず、図１（ｃ）及び図４（ｃ）に示すような、帯状部材の両端部１２ａ、１２ｂに備える粘着層１６を介して展示物に貼着する態様の他、帯状部材が樹脂フィルムで成る場合には、展示物に帯状部材を巻き付けて両端部を重ね合わせた上で加熱溶着してもよい。或いは、図５（ａ）に示すように、帯状部材４ｃの両端部１２ａ、１２ｂにそれぞれ切り込み２８ａ、２８ｂを形成し、展示物１ｂに巻き付けた上で切り込み２８ａ、２８ｂを引っ掛けることにより表示札２ｃが装着されてもよい（図５（ｂ））。
【００３１】
更に、表示部が立設される位置についても、図１（ａ）や図４（ａ）に示す態様の他、図６に示すように、展示物１ｂの手前側に立設されるように表示部が構成されてもよい。なお、この態様では、表示部８ｄに表示される商品情報は、帯状部材４ｄの表面側から印刷されているが、帯状部材４ｄが透明のフィルム材から成る場合は、裏面側から印刷されてもよい。
【００３２】
また、展示物の形状に応じて、表示札に係る帯状部材の形状も任意に設定でき、図７に示す表示札２ｅのように、細長形状の展示物１ｃに合わせて帯状部材４ｅや表示部８ｅが横長に形成されてもよい。更に、表示札の種々の態様において、表示部には印刷による情報表示の他、別体の情報表示用ラベルが貼着されてもよい。
【００３３】
また、表示札に設けられる表示部は一箇所に限定されず、図８に示す表示札２ｆのように、帯状部材４ｆに二箇所の表示部８ｆ、８ｆ’が形成されてもよく、或いはそれ以上の複数の表示部が形成されてもよい。
【００３４】
また更に、各図に示す表示札の態様では、何れも一つの展示物のみに表示札が装着されているが、図９に示す表示札２ｇのように、複数の展示物１ｂをまとめた状態で装着することも可能である。このような構成とすることにより、複数の展示物１ｂを一体化するための包装機能と、商品情報の表示機能とを兼ね備えた表示札２ｇを提供することができ、これらの態様はいずれも本発明の範囲に属するものである。
【図面の簡単な説明】
【００３５】
【図１（ａ）】本発明の表示札の一態様、及びその使用態様を示す斜視図である。
【図１（ｂ）】図１（ａ）に示す表示札の平面図である。
【図１（ｃ）】図１（ｂ）に示す表示札のＡ−Ａ’線断面図である。
【図２】本発明の表示札の他態様、及びその使用態様を示す斜視図である。
【図３】本発明の表示札が装着された展示物を積層した状態を示す側面図である。
【図４（ａ）】本発明の表示札の他態様、及びその使用態様を示す斜視図である。
【図４（ｂ）】図４（ａ）に示す表示札の平面図である。
【図４（ｃ）】図４（ａ）に示す表示札のＢ−Ｂ’線断面図である。
【図４（ｄ）】図４（ａ）に示す表示札の他態様を示す側面図である。
【図５（ａ）】本発明の表示札の他態様を示す平面図である。
【図５（ｂ）】図５（ａ）に示す表示札を展示物に装着した状態を示す平面図である。
【図６】本発明の表示札の他態様、及びその使用態様を示す斜視図である。
【図７】本発明の表示札の他態様、及びその使用態様を示す斜視図である。
【図８】本発明の表示札の他態様、及びその使用態様を示す斜視図である。
【図９】本発明の表示札の他態様、及びその使用態様を示す斜視図である。
【図１０】従来の広告用札、及びその使用態様を示す斜視図である。
【図１１】従来の広告用札の他態様、及びその使用態様を示す斜視図である。
【図１２】従来の貼着表示札、及びその使用態様を示す斜視図である。
【符号の説明】
【００３６】
１、１ａ〜１ｃ：展示物
２、２ａ〜２ｇ：表示札
４、４ａ〜４ｇ：帯状部材
５、５ａ〜５ｇ：輪郭の一部
６、６ａ、６ｂ：輪郭
７、７ａ：領域
８、８ａ〜８ｇ：表示部
１０、１０ａ〜１０ｇ：切り目
１２ａ、１２ｂ：両端部
１４、１５：貼着部
２２、２２ａ：支持腕部
２４：折り目誘発部
【図１（ａ）】
2006047522.tif 000003
【図１（ｂ）】
2006047522.tif 000004
【図１（ｃ）】
2006047522.tif 000005
【図２】
2006047522.tif 000006
【図３】
2006047522.tif 000007
【図４（ａ）】
2006047522.tif 000008
【図４（ｂ）】
2006047522.tif 000009
【図４（ｃ）】
2006047522.tif 000010
【図４（ｄ）】
2006047522.tif 000011
【図５（ａ）】
2006047522.tif 000012
【図５（ｂ）】
2006047522.tif 000013
【図６】
2006047522.tif 000014
【図７】
2006047522.tif 000015
【図８】
2006047522.tif 000016
【図９】
2006047522.tif 000017
【図１０】
2006047522.tif 000018
【図１１】
2006047522.tif 000019
【図１２】
2006047522.tif 000020